(57)【特許請求の範囲】
【請求項１】
固定側部材に対する可動側部材の振動による移動を阻止するラッチ具であって、このラッチ具が、前記固定側部材に取り付けられるラッチ本体と、前記可動側部材に取り付けられるラッチ受とを有しており、前記ラッチ本体は、可動側部材に向けられた側に開口を備えたケースと、このケース内に納められる前記可動側部材を移動させる振動よりも小さい所定の振動により移動される球状ウエイトと、この球状ウエイトの移動により当該球状ウエイトに押圧される一端部を有し、かつ、この押圧により前記ケースの開口から可動側部材の側に向けて突き出された他端側を回動させるように当該ケースに組み付けられたアームとを備えており、このアームの先端には、前記球状ウエイトの押圧による回動に伴って前記ラッチ受に掛合可能とされる引っ掛け部が設けてあり、当該ラッチ受に掛合可能に回動された前記アームの引っ掛け部に対し、前記可動側部材が前記振動により移動された際に前記ラッチ受が掛合される構成としてあると共に、ラッチ本体の前記ケースには、前記所定の振動により移動された球状ウエイトを当該移動後の位置で保持する保持手段が設けてあり、この保持手段に保持される球状ウエイトにより、アームの一端部の前記押圧がなされる構成としてあり、前記ラッチ受が、可動側部材における固定側部材の側に向けられた面に取り付けられる鉛直部と、この鉛直部からラッチ本体の側に向けて突き出す突き出し部とを有しており、この突き出し部に前記アームの引っ掛け部が掛合される構成としてあると共に、このラッチ受の突き出し部に、ラッチ本体の側に向けて突き出す位置決め突部が設けてあり、この位置決め突部がラッチ本体の開口の直上にある外面部に突き当たらないように当該ラッチ本体を固定側部材に取り付けることにより、可動側部材の閉じ込み位置においてアームがラッチ受の鉛直部に突き当たらない位置でのラッチ本体の取り付けをなすことができるようにしてあることを特徴とするラッチ具。
【発明の詳細な説明】
【０００１】
【発明の属する技術分野】
この発明は、地震などの振動に起因した扉などの可動側部材の移動を阻止するラッチ具の改良に関する。
【０００２】
【従来の技術】
地震などの振動に起因して、扉などの可動側部材が収納棚本体などの固定側部材から離れ出す向きに移動することなどを阻止して、当該振動作用時のかかる収納棚本体などからの収納物の落下、散乱や、扉などの予期せぬ開き出しに伴う不都合を防止する技術の一つとして、本出願人が先に開示した特願平８−３５６３５７にかかるラッチがある。
【０００３】
かかるラッチは、ラッチ本体（フック具）と、ラッチ受（引掛具）とを有し、このラッチ本体とラッチ受とを可動側部材を移動させる振動が作用された際に掛合し合わせて、この掛合により可動側部材の移動を阻止する構成を備えている。
【０００４】
すなわち、かかるラッチにあっては、ラッチ本体に回動可能にアーム（フック手段）が組み付けてあると共に、前記可動側部材を移動させる振動により移動されるウエイトが収めてある。そして、かかる振動により移動されたウエイトが、アームの一端側を押圧し、この押圧に伴って当該アームの他端側が前記ラッチ受に掛合可能となる位置まで回動される構成としてある。そして、前記振動によりかかるアームの回動と略同時に移動される可動側部材の当該移動によって、前記アームとラッチ本体とが掛合され、この振動の作用による可動側部材の移動を阻止する構成としてある。
【０００５】
【発明が解決しようとする課題】
しかるに、この種のラッチ具において、前記可動側部材を移動させる大きさの振動が作用される前に、かかる可動側部材を移動させる振動よりも小さい振動が作用された状態において前記アームを前記ラッチ受に掛合可能となる位置まで予め回動させておき、この回動位置に当該アームを位置付けておくことができるようにしてあれば、この後の可動側部材の移動が前記ラッチ受と前記アームとの掛合を常に生じさせるようにしておくことができる。
【０００６】
特に、前記可動側部材は、この可動側部材を移動させる大きさの振動が作用しない場合であっても、かかる振動より小さい振動が作用された段階での前記収納物の移動や落下などにより当該収納物に押圧されて前記固定側部材から離れ出す向きに移動される事態も想定されることから、こうした可動側部材の移動を通常では生じさせない大きさの振動が作用された段階において、予め前記アームを前記ラッチ受に掛合可能となる位置に回動、位置付けておけるようにしておくことが望まれる。
【０００７】
そこでこの発明は、この種のラッチ具において、可動側部材が移動される振動が作用される前に、ラッチ受にアームが掛合可能な位置に予めアームを回動させて位置付けておくことができるようにすることを目的とする。
【０００８】
【課題を解決するための手段】
前記目的を達成するために、この発明にあっては、ラッチ具が以下の（１）ないし（８）の構成を備えたものとした。
（１）固定側部材に対する可動側部材の振動による移動を阻止するラッチ具であって、
（２）このラッチ具が、前記固定側部材に取り付けられるラッチ本体と、前記可動側部材に取り付けられるラッチ受とを有しており、
（３）前記ラッチ本体は、可動側部材に向けられた側に開口を備えたケースと、このケース内に納められる前記可動側部材を移動させる振動よりも小さい所定の振動により移動される球状ウエイトと、この球状ウエイトの移動により当該球状ウエイトに押圧される一端部を有し、かつ、この押圧により前記ケースの開口から可動側部材の側に向けて突き出された他端側を回動させるように当該ケースに組み付けられたアームとを備えており、
（４）このアームの先端には、前記球状ウエイトの押圧による回動に伴って前記ラッチ受に掛合可能とされる引っ掛け部が設けてあり、当該ラッチ受に掛合可能に回動された前記アームの引っ掛け部に対し、前記可動側部材が前記振動により移動された際に前記ラッチ受が掛合される構成としてあると共に、
（５）ラッチ本体の前記ケースには、前記所定の振動により移動された球状ウエイトを当該移動後の位置で保持する保持手段が設けてあり、
（６）この保持手段に保持される球状ウエイトにより、アームの一端部の前記押圧がなされる構成としてあり、
（７）前記ラッチ受が、可動側部材における固定側部材の側に向けられた面に取り付けられる鉛直部と、この鉛直部からラッチ本体の側に向けて突き出す突き出し部とを有しており、この突き出し部に前記アームの引っ掛け部が掛合される構成としてあると共に、
（８）このラッチ受の突き出し部に、ラッチ本体の側に向けて突き出す位置決め突部が設けてあり、この位置決め突部がラッチ本体の開口の直上にある外面部に突き当たらないように当該ラッチ本体を固定側部材に取り付けることにより、可動側部材の閉じ込み位置においてアームがラッチ受の鉛直部に突き当たらない位置でのラッチ本体の取り付けをなすことができるようにしてある。
【０００９】
かかる構成によれば、前記可動側部材を移動させる振動よりも小さい所定の振動が作用された段階で、前記球状ウエイトを前記保持手段に保持される位置まで移動させることができる。この保持手段に保持された球状ウエイトは、この保持により当該保持位置から移動前の位置には復帰することがない。そして、この保持位置において、かかる球状ウエイトによりアームの一端部を押圧させて、当該アームをその引っ掛け部が前記ラッチ受に掛合可能となる位置まで回動させることができ、また、この回動終了位置からアームが回動前の位置に戻らないように維持させることができる。
【００１０】
この結果、この発明にかかるラッチ具によれば、可動側部材が移動される振動が作用される前に、ラッチ受にアームの引っ掛け部が掛合可能な位置に予めアームを回動させておくことができる。（以下、この状態を、セットアップ状態という。）
【００１１】
これにより、このセットアップ状態後、可動側部材が移動される振動が作用された場合には、この可動側部材の移動により前記ラッチ受に前記アームの引っ掛け部を確実に掛合させることができ、当該振動による可動側部材の移動を十分に阻止することができる。
【００１２】
また、前記セットアップ状態後、可動側部材を移動させる大きさの振動は作用されていないが、前記球状ウエイトを移動させる所定の振動の作用を原因として可動側部材が移動される状態が作り出されたとしても、同様に前記ラッチ受に前記アームの引っ掛け部を確実に掛合させることができ、当該可動側部材の移動を十分に阻止することができる。例えば、固定側部材が食器棚などの収納体であり、可動側部材がこの収納体の開口を塞ぐ扉体である場合、前記球状ウエイトは移動させるが可動側部材は移動させない大きさの振動が作用されることにより収納物が移動などして扉体を開き出し方向に押圧移動させるような事態が生じても、前記セットアップ状態にある前記ラッチ本体のアームの引っ掛け部をこのように押圧移動された扉体のラッチ受に確実に掛合させて、かかる扉体の移動を十分に阻止することができる。
【００１３】
例えば、前記扉体が震度５強程度の振動（約２７０ｇａｌ）が作用された場合に開き出されるときには、前記球状ウエイトが震度５弱の振動（約１２０ｇａｌ）が作用された場合に移動されるようにしておくことにより、かかる扉体を開き出させる振動が作用された場合のみならず、前記球状ウエイトを移動させるレベルの振動に起因した扉体の予期しない移動を十分に阻止することができる。
【００１４】
前記球状ウエイトの保持手段は、例えば、当該球状ウエイトを前記所定の振動により落ち込ませるように、前記ラッチ本体に凹みや、有底穴や、当該ラッチ本体の内外を連通させる穴を設けておくことにより、また、前記所定の振動により当該球状ウエイトが乗り越えて移動される高さの突部を前記ラッチ本体に設けておくことにより構成することができる。
【００１５】
また、前記ラッチ受の突き出し部の先端部に、ラッチ本体の側に向けて突き出す位置決め突部が設けてあり、この位置決め突部がラッチ本体の開口の直上にある外面部に突き当たらないように当該ラッチ本体を固定側部材に取り付けることにより、アームがラッチ受の鉛直部に突き当たらない位置でのラッチ本体の取り付けをなすことができる。
【００１６】
【発明の実施の形態】
以下、図１ないし図２９に基づいて、この発明の典型的な実施の形態の一つについて説明する。
【００１７】
なお、ここで図１は、この実施の形態にかかるラッチ具を理解し易いように、ラッチ受Ｕおよびラッチ本体Ｈを分解して斜視の状態として示している。また、図２は、ラッチ具の使用状態を、固定側部材Ｓおよび可動側部材Ｍを縦断面の状態として側方から見て示しており、また、図３は、固定側部材Ｓの横板を省略して、上方から見て示している。この図２および図３は、可動側部材Ｍが移動していない状態として示している。また、図４は、ラッチ本体Ｈを下方から見て、また、図５は、ラッチ本体Ｈをアーム２０の突き出し側から見て、それぞれ示している。
【００１８】
図６ないし図１０は、ラッチ具の機能を理解し易いように、ラッチ具を構成するラッチ受Ｕおよびラッチ本体Ｈを縦断面の状態として示している。より詳細には、図６はアーム２０を回動させていない状態にあるラッチ具を示しており、この図６の状態において可動側部材Ｍは固定側部材Ｓから離れる向きにも、近付く向きにも自由に移動操作可能である。図７は、球状ウエイト３０を移動させる所定の振動が作用され、当該球状ウエイト３０が凹所内に落ち込み、これによりアーム２０の当接部２２が押圧されてアーム２０が上方に回動した状態を示しており、この図７の状態においては未だ可動側部材Ｍは固定側部材Ｓから離れ出す向きには移動されておらず、アーム２０とラッチ受Ｕとは掛合されていない。図８は、図７の状態からさらに可動側部材Ｍを固定側部材Ｓから離し出す振動が作用され、この可動側部材Ｍが移動されると共に、これによりラッチ受Ｕとアーム２０の引っ掛け部２１とが掛合し合った当該可動側部材Ｍの移動阻止状態を示している。図９は、図８に示されるようにラッチ受Ｕとアーム２０の引っ掛け部２１とを掛合させ合った状態を解除させるべく、可動側部材Ｍを固定側部材Ｓに近付く向きに移動操作させた状態を示しており、ラッチ受Ｕとアーム２０の引っ掛け部２１は掛合し合っているが、この可動側部材Ｍの移動操作に追随してアーム２０が押し込み移動され、このように移動されるアーム２０により押圧されて凹所１７から凹部１６内に向けて球状ウエイト３０が押し出されている。図１０は、図９の状態からさらに可動側部材Ｍを押し込み移動させて、アーム２０の当接部２２の上端２２ｃをケース１０の膨出部１９の端面１９ａに突き当てさせ、これにより前記ラッチ受Ｕのフック部７０と前記アーム２０の引っ掛け部２１との掛合を解いた状態を示している。これにより、アーム２０は自重により再び下方に回動され、図６の状態に復帰される。
【００１９】
また、図１１は、図６の状態を理解し易いように、ラッチ受Ｕおよびラッチ本体Ｈを横断面の状態として示しており、また、図１２は、フック部７０にアーム２０の引っ掛け部２１を掛合させるように可動側部材Ｍが移動した状態を理解し易いように、ラッチ受Ｕおよびラッチ本体Ｈを横断面の状態として示している。
【００２０】
また、図１４ないし図１８は、ラッチ本体Ｈを構成するケース１０のケース本体１０’をそれぞれ示しており、図１３は当該ケース本体１０’を開放部Ｆ側から見た状態として、図１４は、開放部Ｆ側と反対の側から見た状態として、また、図１５は、図１３の上方から見た状態として、図１６は、当該ケース本体１０’を縦断面の状態として、図１７は、図１６の右側から見た状態として、また、図１８は、図１３におけるＡ−Ａ線位置で断面にして、それぞれ示している。
【００２１】
また、図１９ないし図２１は、ラッチ本体Ｈを構成するアーム２０をそれぞれ示しており、図１９は当該アーム２０を側方から見た状態として、図２０は、図１９の左側から、また、図２１は図２０の下側から見た状態として、それぞれ示している。
【００２２】
また、図２２ないし図２６は、ラッチ本体Ｈを構成するケース１０の開放部Ｆを塞ぐようにケース本体１０’に組み付けられる蓋板１０”をそれぞれ示しており、図２２は当該蓋板１０”を上方から見た状態として、図２３は、図２２と反対の側から見た状態として、また、図２４は、図２２の右側から見た状態として、図２５は、図２２の下側から見た状態として、また、図２６は、蓋板１０”を縦断面の状態として、それぞれ示している。
【００２３】
また、図２７ないし図２９は、ラッチ受Ｕをそれぞれ示しており、図２７は、ラッチ受Ｕを側方から見て、図２８は、図２７の下側から見た状態として、さらに、図２９は、図２７の右側から見た状態として、それぞれ示している。
【００２４】
この実施の形態にかかるラッチ具は、固定側部材Ｓ、ここでは、かかる固定側部材Ｓを構成する横板Ｓａの下面に取り付けられるラッチ本体Ｈと、可動側部材Ｍ、ここでは、かかる可動側部材Ｍを構成する縦板Ｍａにおける固定側部材Ｓの側に向けられた面に取り付けられるラッチ受Ｕとを備えてなる。
【００２５】
ラッチ本体Ｈは、前記固定側部材Ｓを構成する横板Ｓａの下面に取り付けられる上面１０ａを備え、かつ、前記可動側部材Ｍに向けられた側に開口１１を備えたケース１０と、このケース１０内に一端側２０ａを常時収めると共に、他端側２０ｂを当該ケース１０の前記開口１１から当該可動側部材Ｍの側に向けて突き出すように、前記ケース１０に回動可能に組み付けられたアーム２０とを備えている。
【００２６】
かかるアーム２０は、前記開口１１から突き出される他端側２０ｂに前記ラッチ受Ｕに対する引っ掛け部２１を備えると共に、ケース１０内に収められた一端側２０ａに後述する球状ウエイト３０の当接部２２を有している。
【００２７】
また、かかるアーム２０は、ケース１０の上面１０ａ側であって、前記当接部２２よりの位置に、当該アーム２０の幅方向両側に向けて突き出す突起状の軸２４を有している。一方、前記ケース１０は、前記開口１１近傍の左右側板１２、１２の上端部に前記アーム２０の両側にある前記軸２４をそれぞれ収める軸穴部１５を有している。そして、かかる軸穴部１５に前記軸２４を収めて前記アーム２０は前記ケース１０に、前記開口１１から前記引っ掛け部２１が設けられた側を突き出させるように回動可能に組み付けられている。この実施の形態にあっては、かかるアーム２０の重心が前記軸２４を基準として前記引っ掛け部２１が設けられている側にやや偏って位置するように設定してあり、後述する球状ウエイト３０による押圧を受けない状態においては、かかるアーム２０は、前記ケース１０の開口１１の下側縁部１１ａにアーム２０の前記軸２４の直下に形成させた突き当たり面２３を突き当てた位置（以下、回動前位置Ｒａという。）にあるものとされる。この回動前位置Ｒａにおいては、前記開口１１から突き出されている側にあるアーム２０の下面とケース１０の下面とが略同面となるようにしてあり、また、前記ラッチ受Ｕに前記引っ掛け部２１を掛合させることがないようにしてある。
【００２８】
一方、前記ラッチ受Ｕは、可動側部材Ｍにおける固定側部材Ｓの側に向けられた面に取り付けられる板状の鉛直部５０と、この鉛直部５０の上端から固定側部材Ｓの側、すなわち、ラッチ本体Ｈの側に向けて突き出す板状の突出し部６０とを有している。そして、この突出し部６０の先端側であって、当該突出し部６０の下側に、当該突出し部６０の基部側に向けて突き出す前記アーム２０の引っ掛け部２１の掛合されるフック部７０が設けてある。
【００２９】
この実施の形態にあっては、前記アーム２０の引っ掛け部２１が、当該アーム２０の幅方向両側に突き出す掛合突部２１ａとしてある。また、前記ラッチ受Ｕのフック部７０が、当該ラッチ受Ｕの前記突出し部６０における左右両側に設けられており、左側のフック部７０と右側のフック部７０との間の隙間６１が、前記アーム２０の幅よりも大きく、かつ、前記両掛合突部２１ａの先端間の寸法よりも小さくなるように構成してある。
【００３０】
そして、この実施の形態にあっては、可動側部材Ｍの前記縦板Ｍａが固定側部材Ｓの前記横板Ｓａの端面部に突き当てられた当該可動側部材Ｍの閉じ込み位置において、前記回動前位置Ｒａにある前記アーム２０の掛合突部２１ａが前記ラッチ受Ｕのフック部７０先端よりも下方で、かつ、前記突出し部６０の基部側に位置すると共に、かかるアーム２０の直上に前記左側のフック部７０と右側のフック部７０との間の隙間６１が位置するように、かかる可動側部材Ｍにラッチ受Ｕを、また、かかる固定側部材Ｓにラッチ本体Ｈを取り付けることができる構成としてある。（図２、図３、図６）
【００３１】
この結果、この実施の形態にかかるラッチ具によれば、前記アーム２０を前記回動前位置Ｒａから、前記引っ掛け部２１をラッチ受Ｕの突き出し部下面に接しさせる位置まで回動させることができ、（図７・以下、回動終了位置Ｒｂという。）この後、可動側部材Ｍが固定側部材Ｓから離れる向きに移動することに伴って、前記ラッチ受Ｕのフック部７０と前記アーム２０の引っ掛け部２１とを掛合させることが可能とされる。（図８）
【００３２】
前記アーム２０の回動前位置Ｒａから回動終了位置Ｒｂに向けた回動は、前記ケース１０内に収められた球状ウエイト３０の所定の振動による移動と、この移動に伴うかかるアーム２０の当接部２２への当接、押圧によりなされる。
【００３３】
すなわち、この実施の形態にあっては、前記アーム２０の当接部２２と前記ケース１０の開口１１と反対の側にある側面との間に、球状ウエイト３０を当該ケース１０の開口１１側に向けて移動可能に収める当該球状ウエイト３０の収納空間１４が形成してある。
【００３４】
かかる収納空間１４を構成するケース１０の内底面１４ａには、前記球状ウエイト３０の下端部を収める凹球面状の凹部１６が設けてあり、球状ウエイト３０はこの凹部１６にかかる下端部を収めた状態で、この凹部１６が設けられている位置に保持される構成としてある。ここで、前記ケース１０は、当該ケース１０の内奥側に向けて次第に前記収納空間１４の左右方向の間隔を狭めるように傾斜した一対の傾斜側面１３、１３と、前記上面１０ａとを有するが、前記球状ウエイト３０は前記凹部１６による保持位置において、この球状ウエイト３０の周面をかかる一対の傾斜側面１３、１３および上面１０ａのいずれとも接触させない状態で、かかる凹部１６に保持される構成としてある。また、かかる凹部１６による保持位置において、前記球状ウエイト３０は前記アーム２０の当接部２２を押圧せず、かかるアーム２０は前記回動前位置Ｒａから移動しない構成としてある。
【００３５】
また、この実施の形態にあっては、前記収納空間１４を構成するケース１０の内底面１４ａであって、前記凹部１６よりも当該ケース１０の前記開口１１に近付いた位置に、当該ケース１０の幅方向に亙った溝状をなす凹所１７が設けてある。そして、前記球状ウエイト３０が前記凹所１７から抜け出し、前記ケース１０の開口１１側に移動することに伴って、当該球状ウエイト３０の一部をこの凹所１７に落とし込ませ、このように落とし込まれた球状ウエイト３０により前記アーム２０の当接部２２が押圧され、かかるアーム２０が前記回動終了位置Ｒｂに向けて回動される構成としてある。すなわち、この実施の形態にあっては、かかる凹所１７が所定の振動により移動された球状ウエイト３０を移動後の位置で保持する保持手段とされている。
【００３６】
より詳細には、この実施の形態にあっては、前記アーム２０は前記当接部２２が設けられている一端部において、前記ケース１０の内奥側に向けて突き出す突き出し部２２ｂを有しており、当該アーム２０を側方から見た状態において、この突き出し部２２ｚｂの突き出し先端２２ａおよびこの突き出し先端２２ａを挟んだ上方にあるケース１０の奥側に向けられた面を前記当接部２２としている。かかる当接部２２を構成する面は、前記ケース１０の内奥側を湾曲内側とした湾曲面状に構成してある。そして、前記球状ウエイト３０が前記所定の振動の作用により前記凹部１６から抜け出し、前記凹所１７に落ち込むように移動することに伴って、先ず、前記アーム２０の当接部２２を構成する前記突き出し先端２２ａを球状ウエイト３０が押圧し、この押圧によりアーム２０が前記引っ掛け部２１が設けられている側を上方に向けて回動させることに伴って、前記突き出し先端２２ａの上方にある前記当接部２２を構成する面に球状ウエイト３０の前記開口１１側に向けられた周面が当接され、この当接状態においてアーム２０が前記回動終了位置Ｒｂに位置される構成としてある。（図７）
【００３７】
そして、この実施の形態にあっては、前記アーム２０を前記回動終了位置Ｒｂに位置させるように前記凹所１７に落ち込んだ前記球状ウエイト３０が、当該凹所１７から単純にはその移動前の位置、すなわち、前記凹部１６側に移動されないようにしてあり、かかるアーム２０を前記回動終了位置Ｒｂに継続的に位置付けることができるようにしてある。
【００３８】
すなわち、この実施の形態にあっては、前記アーム２０を前記回動終了位置Ｒｂに位置させるように前記凹所１７に落ち込んだ前記球状ウエイト３０が、当該球状ウエイト３０における重心を通る垂線ｘ上で前記凹所１７により前記ケース１０に支持されず、かかる凹所１７における当該ケース１０の奥側にある縁部１７ａに接して当該ケース１０に支持される構成としてある。この結果、前記凹所１７に落ち込まれた前記球状ウエイト３０は、前記アーム２０の当接部２２を構成する前記面を押圧する向きと反対の向きには移動し難いものとされ、この結果、前記アーム２０はかかる球状ウエイト３０により前記回動終了位置Ｒｂに継続的に位置付けられる。
【００３９】
なお、この実施の形態にあっては、横断面形状において、前記アーム２０の前記当接部２２が設けられている一端側２０ａの端部が、前記ケース１０の両側板１２、１２間に亙る大きさを備えるように構成してあり、（図１１、図１２）かかる一端側２０ａの幅方向に亙って前記当接部２２が形成してある。
【００４０】
そして、この実施の形態にあっては、前記ラッチ受Ｕが取り付けられる可動側部材Ｍが固定側部材Ｓから離れ出す向きに移動される振動よりも、前記球状ウエイト３０を前記凹部１６から抜け出させ、前記凹所１７に落とし込ませる位置まで移動させる所定の振動が小さくなるように構成してある。この結果、この実施の形態にあっては、前記可動側部材Ｍが移動される振動が作用される前に、前記所定の振動が作用された場合には、前記球状ウエイト３０を前記凹所１７に落とし込む位置まで移動させて、前記アーム２０を前記回動終了位置Ｒｂに回動させ、この回動終了位置Ｒｂに予め位置付けて置くことができる。（図７・セットアップ状態）そしてこの後、前記可動側部材Ｍを移動させる大きさの振動が作用された場合、あるいは、前記球状ウエイト３０を移動させる所定の振動に起因した固定側部材Ｓに収められた収納物などの移動に伴って可動側部材Ｍが押圧され移動などされた場合には、前記セットアップ状態にあるアーム２０の引っ掛け部２１をこのように移動される可動側部材Ｍの前記ラッチ受Ｕにおけるフック部７０に確実に掛合させ、この掛合により可動側部材Ｍのそれ以上の移動を阻止することができる。（図８）
【００４１】
また、この実施の形態にあっては、かかる可動側部材Ｍの移動を阻止する前記ラッチ受Ｕのフック部７０と前記アーム２０の引っ掛け部２１との掛合状態を維持することができる構成としてある。
【００４２】
すなわち、この実施の形態にあっては、前記ラッチ受Ｕの突出し部６０に、当該突出し部６０の基部側から先端側に向けて次第に下方に突き出される弾性阻止片６２が設けてある。この弾性阻止片６２はその突き出し端を前記一対のフック部７０間の隙間６１に向けて突き出させるように構成してある。そして、かかるラッチ受Ｕを側方から見た状態において、かかる弾性阻止片６２の下方にもっとも突き出した頂端６２ａと、この頂端６２ａと前記フック部７０における湾曲内側の面７１との間の最小の間隔に対し、前記アーム２０における一対の掛合突部２１ａ間にある他端側２０ｂの端部における前記頂端６２ａに可動側部材Ｍが前記移動をした際に接する上面２５と、この上面２５と反対の側にあって当該アーム２０の引っ掛け部２１を構成する掛合突部２１ａの前記フック部７０の湾曲内側に前記可動側部材Ｍが前記移動をした際に接する面２１ｂとの間の最大の間隔が、やや大きくなるように構成してある。なお、この実施の形態にあっては、前記フック受の突出し部６０に、当該突出し部６０の突き出し方向に沿った一対の割溝６３、６３を間隔を開けて設けると共に、この一対の割溝６３、６３における当該突出し部６０の突き出し端側にある溝端間に亙るようにこの突き出し端側に当該突出し部６０の幅方向に沿った連通溝６４を設けてあり、このように設けられる各溝６３、６４によって前記弾性阻止片６２を前記突出し部６０に区分して設けている。
【００４３】
この結果、この実施の形態にあっては、前記振動による前記可動側部材Ｍの前記移動に伴って、前記セットアップ状態にあるアーム２０の他端側２０ｂの端部上面２５が前記弾性阻止片６２の頂端６２ａに突き当たり、この突き当たりにより当該弾性阻止片６２を上方に向けて弾性変形させながら前記掛合突部２１ａを前記アーム２０部の内側に入り込ませることができる。そして、このようにアーム２０部の内側に掛合突部２１ａを入り込ませた位置で前記弾性阻止片６２を弾性復帰させて、かかる弾性阻止片６２における前記頂端６２ａを前記アーム２０の他端側２０ｂの端部に対し、当該アーム２０の掛合突部２１ａが前記フック部７０から抜け出す向きに移動しないように引っ掛けさせることができる。これにより、一旦掛合された状態においては、前記ラッチ受Ｕのフック部７０から前記アーム２０の掛合突部２１ａが単純には抜け出さないものとされ、かかる掛合状態を維持することが可能とされる。（図８）
【００４４】
この実施の形態にあってはまた、前記のようにラッチ受Ｕのフック部７０と前記アーム２０の掛合突部２１ａとを掛合させた可動側部材Ｍの移動阻止状態を、特に、かかる可動側部材Ｍを移動させる振動が止んだ後において、可動側部材Ｍを固定側部材Ｓに近付ける向きに押し込み移動させることにより、解除することができると共に、この解除に先立って前記回動終了位置Ｒｂに移動されたアーム２０を再び回動前位置Ｒａに移動させることができるようにしてある。
【００４５】
すなわち、この実施の形態にあっては、前記アーム２０の軸２４を収める前記ケース１０の軸穴部１５が、この軸穴部１５から当該ケース１０の奥側に向けて伸び、かつ、この奥側で開放された案内溝１８に連通された構成としてある。
【００４６】
この結果、この実施の形態にあっては、前記移動阻止状態にある可動側部材Ｍを固定側部材Ｓの側に向けて押し込み移動させることに伴って、前記移動阻止片によりフック部７０からの掛合突部２１ａの抜け出しが阻止されている状態にある前記アーム２０を前記案内溝１８に沿って、前記ケース１０の内奥側に向けて移動させることができる。
【００４７】
このようにアーム２０が移動されると、かかるアーム２０の当接部２２に当接されている前記球状ウエイト３０は当該当接部２２に押圧され、前記凹所１７から前記ケース１０の内奥側に向けて押し出されるに至り、当該球状ウエイト３０を前記凹部１６にその下端部を収める位置（図６の位置）に向けて移動させて、この位置で再び球状ウエイト３０を保持させることができる。（図９）
【００４８】
この後、さらに可動側部材Ｍを押し込み移動させると、前記アーム２０における当接部２２の上端２２ｃがケース１０の内奥側上部において、ケース１０の下方に向けて突き出された膨出部１９におけるケース１０の開口１１側の端面１９ａに突き当たるに至り、これより先のアーム２０のケース１０の内奥側への移動が阻止されることから、かかるアーム２０の引っ掛け部２１が設けられている他端側２０ｂの上面２５により前記ラッチ受Ｕの弾性阻止片６２の頂端６２ａ部を押圧させることが可能となる。そして、この実施の形態にあっては、かかる押圧によりかかる弾性阻止片６２を上方に向けて弾性変形させることができるようにしてあり、この弾性阻止片６２の弾性変形により前記フック部７０から前記掛合突部２１ａを抜き出して、当該フック部７０と掛合突部２１ａとの掛合を解除することができる。（図１０）
【００４９】
この掛合の解除により、また、この掛合の解除に先立つ前記球状ウエイト３０の前記凹部１６への移動、保持により、アーム２０は自重によって再び前記回動前位置Ｒａに向けて下方に回動され、（図６）これにより、可動側部材Ｍを自由に固定側部材Ｓから離れる向きに、また、近付ける向きに移動できる状態を再び作り出すことができる。
【００５０】
なお、この実施の形態にあっては、前記凹部１６が前記ケース１０の幅方向略中程の位置に設けてあると共に、この凹部１６の両側に凹部１６の側に向けて次第に低まる傾斜面１６ａが形成してある。また、前記ケース１０の奥側には、このケース１０の奥側に向かうに連れて、このケース１０における前記球状ウエイト３０の収納空間１４を狭める前記一対の傾斜側面１３、１３が設けてある。この結果、この実施の形態にあっては、前記アーム２０の前記ケース１０の内奥側への移動に伴って前記凹所１７から押し出された前記球状ウエイト３０を、前記傾斜面１６ａおよび一対の傾斜側面１３、１３に案内させて前記凹部１６に再び収まるように容易に戻すことができる。
【００５１】
また、この実施の形態にあっては、前記アーム２０の軸２４を収める軸穴部１５に連通した案内溝１８が、前記ケース１０の奥側から開口１１側に向けて、当該案内溝１８の下側にある溝壁面１８ａを次第に下方に低めるように傾斜した構成としてある。この結果、この実施の形態にあっては、前記アーム２０の引っ掛け部２１と前記ラッチ受Ｕの前記掛合の解除により、自重により再び前記回動前位置Ｒａに向けて下方に回動されるアーム２０は、この回動に伴って前記軸２４を前記案内溝１８の下側にある溝壁面１８ａに案内させながら、当該軸２４を再び前記軸穴部１５に収め入れる位置まで移動される。
【００５２】
また、この実施の形態にあっては、前記ケース１０が、前記開口１１に続く上面を開放させたケース本体１０’と、このケース本体１０’のかかる開放部Ｆを塞ぐ蓋板１０”とにより構成してある。かかる蓋板１０”を取り外した状態において、前記アーム２０の軸２４を収める軸穴部１５および案内溝１８はケース本体１０’の前記開放部Ｆ側の端部において外方に連通した状態とされ、この状態においてかかる連通側から当該軸穴部１５に前記アーム２０の軸２４を収め入れ、しかる後に当該ケース本体１０’の開口１１を前記蓋板１０”で覆うように当該ケース本体１０’に当該蓋板１０”を組み付けることにより、前記軸穴部１５に回動可能に軸支させた状態で前記ケース１０に対する前記アーム２０の組み付けをなすことができる。
【００５３】
以上の構成を備えるラッチ具は、前記のように、前記固定側部材Ｓを構成する横板Ｓａの下面に対し前記ラッチ本体Ｈを、当該ラッチ本体Ｈを構成する前記ケース１０の上面が当該横板Ｓａの下面に接し、かつ、前記アーム２０が前記可動側部材Ｍの側に突き出すように取り付けると共に、かかる可動側部材Ｍを構成する縦板Ｍａにおける固定側部材Ｓの側に向けられた面に前記ラッチ受Ｕを、このラッチ受Ｕを構成する鉛直部５０が当該縦板Ｍａの面に接し、かつ、突出し部６０が固定側部材Ｓの側に向けて突き出されるようにして取り付けて用いられる。
【００５４】
この実施の形態にあっては、ラッチ本体Ｈの上部に外周部に複数段の掛合突起４１、４１…を備えた二本の打ち込み突部４０、４０が設けてあり、前記固定側部材Ｓに設けられた取付穴Ｓｂにこの打ち込み突部４０を打ち込み、当該取付穴Ｓｂの穴壁に前記掛合突起４１を食い込ませて、かかる固定側部材Ｓへの当該ラッチ本体Ｈの取り付けをなす構成としてある。なお、この実施の形態とは別に、前記ラッチ本体Ｈの上部にネジの差し込み穴などを設けておき、この差し込み穴に差し入れたネジを前記固定側部材Ｓに止着させてかかる取り付けをなすこともできる。
【００５５】
また、この実施の形態にあっては、ラッチ受Ｕを構成する鉛直部５０に二つのネジＮの差し込み穴５１が設けてあり、この差し込み穴５１に前記突出し部６０の突き出し側から差し入れたネジＮを可動側部材Ｍに止着させることにより、当該可動側部材Ｍへの当該ラッチ受Ｕの取り付けをなす構成としてある。
【００５６】
なお、この実施の形態にあっては、前記ラッチ受Ｕの突出し部６０の先端部に、前記ラッチ本体Ｈの側に向けて突き出す位置決め突部８０が設けてあり、この位置決め突部８０がラッチ本体Ｈの開口１１の直上にある外面部に突き当たらないように、当該ラッチ本体Ｈを前記固定側部材Ｓに取り付けることにより、前記アーム２０が前記ラッチ受Ｕの鉛直部５０に突き当たらない位置での当該ラッチ本体Ｈの前記取り付けをなすことができるようにしてある。
【００５７】
【発明の効果】
この発明にかかるラッチ具によれば、可動側部材が移動される振動が作用される前に、ラッチ受にアームの引っ掛け部が掛合可能な位置に予めアームを回動させて位置付けておくことができ、その後の可動側部材の移動を当該ラッチ受と引っ掛け部の掛合により確実に阻止することができる。
【図面の簡単な説明】
【図１】ラッチ具の分解斜視図
【図２】ラッチ具の取り付け状態を示す側面図
【図３】ラッチ具の取り付け状態を示す平面図
【図４】ラッチ本体Ｈの底面図
【図５】ラッチ本体Ｈの側面図
【図６】ラッチ具の使用状態を示す側面図（回動前位置Ｒａ）
【図７】ラッチ具の使用状態を示す側面図（回動終了位置Ｒｂ・セットアップ状態）
【図８】ラッチ具の使用状態を示す側面図（可動側部材Ｍの移動阻止状態）
【図９】ラッチ具の使用状態を示す側面図（アーム２０の押し込み状態）
【図１０】ラッチ具の使用状態を示す側面図（ラッチ受Ｕとアーム２０の引っ掛け部２１との掛合解除状態）
【図１１】ラッチ具の使用状態を示す平面図（回動前位置Ｒａ）
【図１２】ラッチ具の使用状態を示す平面図（可動側部材Ｍの移動阻止状態）
【図１３】ケース本体１０’の平面図
【図１４】ケース本体１０’の底面図
【図１５】ケース本体１０’の側面図
【図１６】ケース本体１０’の縦断面図
【図１７】図１５と異なる向きから見たケース本体１０’の側面図
【図１８】図１３におけるＡ−Ａ線断面図
【図１９】アーム２０の側面図
【図２０】図１９と異なる向きから見たアーム２０の側面図
【図２１】アーム２０の底面図
【図２２】蓋板１０”の平面図
【図２３】蓋板１０”の底面図
【図２４】蓋板１０”の側面図
【図２５】図２４と異なる向きから見た蓋板１０”の側面図
【図２６】蓋板１０”の縦断面図
【図２７】ラッチ受Ｕの側面図
【図２８】ラッチ受Ｕの底面図
【図２９】図２７と異なる向きから見たラッチ受Ｕの側面図
【符号の説明】
Ｓ  固定側部材
Ｍ  可動側部材
Ｈ  ラッチ本体
Ｕ  ラッチ受
２０  アーム
２１  引っ掛け部
３０  球状ウエイト
【図１】
0003842482.tif 000002
【図２】
0003842482.tif 000003
【図３】
0003842482.tif 000004
【図４】
0003842482.tif 000005
【図５】
0003842482.tif 000006
【図６】
0003842482.tif 000007
【図７】
0003842482.tif 000008
【図８】
0003842482.tif 000009
【図９】
0003842482.tif 000010
【図１０】
0003842482.tif 000011
【図１１】
0003842482.tif 000012
【図１２】
0003842482.tif 000013
【図１３】
0003842482.tif 000014
【図１４】
0003842482.tif 000015
【図１５】
0003842482.tif 000016
【図１６】
0003842482.tif 000017
【図１７】
0003842482.tif 000018
【図１８】
0003842482.tif 000019
【図１９】
0003842482.tif 000020
【図２０】
0003842482.tif 000021
【図２１】
0003842482.tif 000022
【図２２】
0003842482.tif 000023
【図２３】
0003842482.tif 000024
【図２４】
0003842482.tif 000025
【図２５】
0003842482.tif 000026
【図２６】
0003842482.tif 000027
【図２７】
0003842482.tif 000028
【図２８】
0003842482.tif 000029
【図２９】
0003842482.tif 000030